(57)【要約】　　　（修正有）【課題】　カートンの表面にＩＣチップが露出せず、カートンの外観の意匠性を損なうことや、外部要因によりＩＣチップが損傷することがないと共に、ＩＣチップがカートン内に収納される物品とも接触せず、ＩＣチップと物品の両方が互いに損傷することのないカートンブランクおよびカートンとする。【解決手段】　カートンを組み立て形成する板状紙のカートンブランクであって、カートンブランク本体１のカートン組み立て時の重なり合う接着面の展開した内側面に、ＩＣチップ２４を取り付ける。【選択図】　図１
0003099798.tif 000002
【実用新案登録請求の範囲】
【請求項１】
　カートンを組み立て形成する板状紙のカートンブランクであって、このカートンブランク本体のカートン組み立て時の重なり合う接着面の展開した内側面に、ＩＣチップが取り付けられていることを特徴とするカートンブランク。
【請求項２】
　請求項１記載のカートンブランクにより形成されたカートン。
【考案の詳細な説明】
【技術分野】
【０００１】
　本考案は、物品の品質管理や流通管理等を有するカートンブランクおよびカートンに関するものである。
【背景技術】
【０００２】
　従来、物品の品質管理や流通管理等を行うため、物品の品質管理や流通管理等の情報を記憶させたラベルを物品又は物品のパッケージに一体に取り付けられている。
【０００３】
　しかし、このラベルの取り付けは物品又はパッケージの表側に貼り付けたもので、外部に露出した状態であり、外観の意匠性が悪いと共に、ラベルが他のパッケージと接触し損傷する恐れがあった。
　又、パッケージの内壁面に貼り付けても、パッケージ内に収納される物品とラベルが接触することにより、両方が損傷を受ける問題点を有していた。
【考案の開示】
【考案が解決しようとする課題】
【０００４】
　上記点より本考案は、カートンの表面にＩＣチップが露出せず、カートンの外観の意匠性を損なうことや、外部要因によりＩＣチップが損傷することがないと共に、ＩＣチップがカートン内に収納される物品とも接触せず、ＩＣチップと物品の両方が互いに損傷することのないカートンブランクおよびカートンを提供しようとするものである。
【課題を解決するための手段】
【０００５】
　上記課題を解決するため請求項１記載の本考案カートンブランクは、カートンを組み立て形成する板状紙のカートンブランクであって、このカートンブランク本体のカートン組み立て時の重なり合う接着面の展開した内側面に、ＩＣチップが取り付けられていることを特徴とするものである。
【０００６】
　このような構成とすることにより、カートンブランクを組み立て、カートンを形成した場合、組み立てられたカートンの重なり合った接着面の間に挾まれてＩＣチップが存在するので、表面に露出せず外部から視認は不可能となる。
　又、カートンの内壁面に露出しないので、カートン内に収納される物品とは接触せず、ＩＣチップと物品が互いに損傷を受けることが防止される。
【０００７】
　次に、請求項２記載の本考案カートンは、請求項１記載のカートンブランクにより形成されたものである。
【０００８】
　本考案は、請求項１記載のカートンブランクにより形成されたカートンにも関する。
　これにより、カートンは請求項１と同様の機能を有する。
【考案の効果】
【０００９】
　本考案のカートンブランクおよびカートンによれば、カートンの重なり合った接着面の間に挾まれてＩＣチップが存在するので、表面に露出せず外部から視認は不可能となり、カートンの外観の意匠性を損なうことがないと共に、ＩＣチップが他のカートンに接触する等の外部要因により損傷を受けることがない。
【００１０】
　又、ＩＣチップがカートンの内壁面に露出しないので、カートン内に収納される物品とは接触せず、ＩＣチップと物品が互いに損傷を受けることが防止される。
　又、本考案カートンブランクおよびカートンによれば、製造段階で物品を箱詰めする前にＩＣチップが取り付けられているので、小売業者はＩＣチップの取り付けの手間が省け即座に陳列できる。
【考案を実施するための最良の形態】
【００１１】
　以下、本考案の一実施の形態を図面に基づき説明する。
　図１は本考案カートンブランクの一実施の形態を示す内側展開図、図２は同上の外側展開図、図３は同上のカートン組み立て途中の斜視図、図４は本考案カートンの斜視図、図５は同上の拡大断面図である。
【００１２】
　図中１は展開した状態の板状紙のカートンブランク本体であり、このカートンブランク本体１を折り畳み接着してカートン２を組み立て形成するためのものである。
　このカートンブランク本体１は、長方形の前面壁３の一方の長辺側に折目４を介して前面壁側接着片５が連設され、他方の長辺側に折目６を介して側壁７が連設されている。
【００１３】
　又、側壁７の長辺側に折目８を介して後面壁９が連設され、この後面壁９の長辺側に折目１０を介して後面壁側接着片１１が連設され、この後面壁側接着片１１と前面壁側接着片５が重なり合って接着する。
【００１４】
　又、前面壁３の一方の短辺側に折目１２を介して蓋片１３が連設されると共に、この蓋片１３に折目１４を介して差し込み片１５が連設される。
　又、前面壁３の他方の短辺側に折目１６を介して前面壁側接着片１７が連設されると共に、この前面壁側接着片１７と重なり合って接着する後面壁側接着片１８が後面壁９の短辺側に折目１９を介して連設されている。
【００１５】
　又、前面壁側接着片５の短辺側の両側に折目２０を介して舌片２１が夫々設けられると共に、側壁７の短辺側の両側に折目２２を介して舌片２３が夫々設けられている。
【００１６】
　このような構成を有するカートンブランク本体１のカートン２の組み立て時の重なり合う接着面の展開した内側面に、ＩＣチップ２４が取り付けられる。
　尚、カートンブランク本体１の外側面に内容物品２５に関しての印刷２６が施されている。
　重なり合う接着面は、長辺側では前面壁側接着片５の内側面５ａと、後面壁側接着片１１の外側面１１ａが接着面となる。そして、ＩＣチップ２４は前面壁側接着片５の内側面５ａに取り付けられている。
【００１７】
　又、短辺側では、前面壁側接着片１７の外側面１７Ａと、後面壁側接着片１８の内側面１８ａが接着面となるが、長辺側にＩＣチップ２４を取り付ける代わりに、この短辺側の後面壁側接着片１８の内側面１８ａにＩＣチップ２４を取り付けてもよい。
【００１８】
　ＩＣチップ２４の取り付けは貼付又は埋め込みによる。ＩＣチップ２４は非接触型の無線自動認識ＩＣチップを使用する。
　ＩＣチップ２４には内容物品２５の管理に対応可能な情報が記憶される。
【００１９】
　次に、カートン２はＩＣチップ２４を取り付けた上記カートンブランク本体１を折り畳み接着して組み立て形成されている。
　このカートン２の重なり合う接着片の上側の前面壁側接着片５の内側面５ａにＩＣチップ２４が取り付けられ、下側の後面壁側接着片１１の外側面１１ａとの間に挾み込まれている。これにより、ＩＣチップ２４は表面に露出せず、どこからも視認不可能となる。
【００２０】
　以上、本考案を実施の形態に基づき具体的に説明したが、本考案は上記実施形態に限定されるものではない。
【図面の簡単な説明】
【００２１】
【図１】本考案カートンブランクの一実施の形態を示す内側展開図である。
【図２】本考案カートンブランクの一実施の形態を示す外側展開図である。
【図３】本考案カートンブランクのカートン組み立て途中の斜視図である。
【図４】本考案カートンの斜視図である。
【図５】本考案カートンの拡大断面図である。
【符号の説明】
【００２２】
　１　カートンブランク本体
　２　カートン
　５　前面壁側接着片
　５ａ　前面壁側接着片の内側面
　１１　後面壁側接着片
　１１ａ　後面壁側接着片の外側面
　２４　ＩＣチップ
　２５　内容物品
　２６　印刷
【図１】
0003099798.tif 000003
【図２】
0003099798.tif 000004
【図３】
0003099798.tif 000005
【図４】
0003099798.tif 000006
【図５】
0003099798.tif 000007